(57)【特許請求の範囲】
【請求項１】
幼児を保持するためのキャリアと、
第一旋回ベースを有する第一脚部と、
該第一脚部と前記キャリアとに接続される少なくとも１つのアームと、
第二旋回ベースを有する第二脚部と、
前記第一脚部に対する前記第二脚部の回転を制限するために、前記第一旋回ベースと前記第二旋回ベースとの間に配置される旋回位置決め機構と、
前記アームに接続し且つ前記アームを駆動するための駆動装置と、
前記キャリアを前記第一脚部に対して揺動可能にするよう前記駆動装置に電力を提供するために前記第一脚部の前記第一旋回ベースの上に配置される電源装置とを含み、
前記第二旋回ベースは、前記第一旋回ベースに接続され、前記第二脚部は、前記第一脚部及び前記アームと協働して、前記キャリアを支持表面より上に支持するために使用される、
幼児スイング。
【請求項２】
前記旋回位置決め機構は、前記第一旋回ベース上に形成される少なくとも１つのストッパと、前記第二旋回ベースが前記第一旋回ベースに対して回転するときに、前記第一脚部に対する前記第二脚部の回転範囲を制限するよう、前記ストッパに当接するために、前記第二旋回ベースに形成される少なくとも１つの摺動ブロックとを含む、請求項１に記載の幼児スイング。
【請求項３】
前記ストッパは、２つの制限ブロックを含み、前記摺動ブロックは、前記第二旋回ベースが前記第一旋回ベースに対して回転するときに、前記２つの制限ブロックのうちの一方に当接する、請求項２に記載の幼児スイング。
【請求項４】
前記旋回位置決め機構は、前記第二旋回ベースに対する前記第一旋回ベースの位置を固定するよう、前記第一旋回ベース及び前記第二旋回ベースと係合するために、前記第一旋回ベースが前記第二旋回ベースに旋回的に接続される位置に移動可能に配置される係合部を更に含む、請求項１に記載の幼児スイング。
【請求項５】
少なくとも１つの第一位置決め溝が前記第一旋回ベースに形成され、複数の第二位置決め溝が前記第二旋回ベースに形成され、前記係合部は、前記第一旋回ベースと前記第二旋回ベースとの間を軸方向に移動可能であり、前記係合部は、少なくとも１つの歯を有し、該歯は、前記係合部が係止位置に配置されるときに、前記第二旋回ベースに対する前記第一旋回ベースの位置を固定するために、前記第一位置決め溝及び少なくとも一方の前記第二位置決め溝に同時に係合され、前記歯は、前記係合部が解放位置に配置されるときに、前記第一旋回ベースを前記第二旋回ベースに対して回転可能にするよう、前記第二位置決め溝の少なくとも一方から分離される、請求項４に記載の幼児スイング。
【請求項６】
前記旋回位置決め機構は、前記係合部を前記解放位置に移動させるために前記第二旋回ベースに移動可能に配置される作動部を更に含む、請求項５に記載の幼児スイング。
【請求項７】
前記作動部は、ボタンであり、該ボタンは、前記第二旋回ベース上を軸方向に移動可能である、請求項６に記載の幼児スイング。
【請求項８】
前記旋回位置決め機構は、前記係合部を前記係止位置に移動させる弾性力を提供するために前記係合部を押し付ける弾性部を更に含む、請求項５に記載の幼児スイング。
【請求項９】
前記弾性部は、バネであり、該バネは、前記係合部と前記第一旋回ベースとの間に配置される、請求項８に記載の幼児スイング。
【請求項１０】
前記電源装置は、電池と、前記電池に電気的に接続されるコンセントとを含み、該コンセントは、特定の角度だけ水平方向に対して下向きに傾斜される、請求項１に記載の幼児スイング。
【請求項１１】
収容空間が前記旋回位置決め機構とは反対の前記第一旋回ベースの側に形成され、前記電源装置は、前記収容空間内に部分的に収容される、請求項１又は１０に記載の幼児スイング。
【請求項１２】
前記電池は、前記収容空間内に配置され、前記電源装置は、前記電池を覆うために前記第一旋回ベースに配置されるカバーを含む、請求項１０に従属するときの請求項１１に記載の幼児スイング。
【請求項１３】
前記電池は、再充電可能な電池である、請求項１０、請求項１０に従属するときの請求項１１及び請求項１２のうちのいずれか１項に記載の幼児スイング。
【請求項１４】
前記コンセントは、前記第一旋回ベースに配置される、請求項１０、請求項１０に従属するときの請求項１１、請求項１２及び請求項１３のうちのいずれか１項に記載の幼児スイング。
【請求項１５】
前記特定の角度は、実質的に４５度に等しい、請求項１０、請求項１０に従属するときの請求項１１、請求項１２、請求項１３及び請求項１４のうちのいずれか１項に記載の幼児スイング。
【発明の詳細な説明】
【技術分野】
【０００１】
本発明は、幼児スイングに関し、より具体的には、脚部に電源装置を一体化するための幼児スイングに関する。
【背景技術】
【０００２】
従来的な幼児スイングは、音楽、スイング等の機能を遂行するための電源装置を備えることが多い。幼児スイングに電源装置を配置する一般的な方法は、支持脚部上に或いは揺動するよう幼児スイングを駆動するために使用される駆動ハブ内に電源装置を配置することを含む。
【０００３】
駆動ハブ内への電源装置の配置のためには、駆動ハブ内に据え付けられる他の関連する駆動構成部品（例えば、モータ）があるので、電源装置のために追加的な空間が必要とされ、従って、駆動ハブ内での他の構成部品の配置は影響を受ける。従って、前記設計は、構造的設計において幼児スイングの柔軟性を減じるのみならず、幼児スイングの外観に影響を及ぼすよう、幼児スイング上で占められる駆動ハブの容積も増大する。
【発明の概要】
【発明が解決しようとする課題】
【０００４】
その外観に影響を及ぼさず、しかも、その折畳み構造と干渉せずに、どのように電源装置を幼児スイング上に配置するかは、構造的設計における幼児スイングに関する懸念事項である。
【課題を解決するための手段】
【０００５】
本発明は、幼児を保持するためのキャリアと、第一旋回ベースを有する第一脚部と、第一脚部及びキャリアに接続される少なくとも１つのアームと、第二旋回ベースを有する第二脚部と、第一脚部に対する第二脚部の回転を制限するために第一旋回ベースと第二旋回ベースとの間に配置される旋回位置決め機構と、アームに接続し且つアームを駆動するための駆動装置と、キャリアを第一脚部に対して揺動可能にするよう駆動装置に電力を提供するために第一旋回ベースと第二旋回ベースとの間に配置される電源装置とを含み、第二旋回ベースは、第一旋回ベースに接続され、第二脚部は、第一脚部及びアームと協働してキャリアを支持表面より上に支持するために使用される。
【０００６】
様々な図面中に例証される好適実施態様の以下の詳細な記載を判読した後、本発明のこれらの及び他の目的は、当業者に疑いなく明らかになるであろう。
【図面の簡単な説明】
【０００７】
【図１】本発明の好適実施態様に従った幼児スイングを示す斜視図である。
【図２】図１の幼児スイングの一部の分解図である。
【図３】図２の第一脚部及び第二脚部を示す部分拡大図である。
【図４】幼児スイングが展開状態にあるときの図１の旋回位置決め機構を示す斜視図である。
【図５】係合部が係止位置に配置されるときの図１の旋回位置決め機構を示す断面図である。
【図６】係合部が解放位置に配置されるときの図１の旋回位置決め機構を示す断面図である。
【図７】幼児スイングが折畳み状態にあるときの図１の旋回位置決め機構を示す斜視図である。
【発明を実施するための形態】
【０００８】
図１を参照すると、本発明の好適実施態様に従った幼児スイング１０の概略図を示している。図１に示されるように、幼児スイング１０は、キャリア１２と、第一脚部１４と、少なくとも１つのアーム１６（図１には２つ示されている）と、第二脚部１８と、駆動装置２０と、電源装置２２と、旋回位置決め機構２４とを含む。キャリア１２は、幼児を保持するために使用され、好ましくは、横たわるためのクレードル又はその上に座るためのシートである。アーム１６は、第一脚部１４及びキャリア１２に接続される。第二脚部１８は、第一脚部１４及びアーム１６と協働的に支持表面２６より上にキャリア１２を支持するために、第一脚部１４に旋回的に接続される。支持表面２６は、フロア等のような幼児スイング１０の配置のための一般的な住宅表面であり得る。駆動装置２０は、第一脚部１４の頂部に配置され、アーム１６に接続される。駆動装置２０は、アーム１６及びキャリア１２を第一脚部１４に対して揺動するようアーム１６を駆動するために使用される。駆動装置２０はモータであることができ、好ましくは、適切な伝動ベルト又はギア組立体を備えることができる。
【０００９】
次に、図１及び図２を参照すると、図２は、図１中の幼児スイング１０の分解図である。図１及び図２に示されるように、第一脚部１４は、第一旋回ベース２８を有し、第二脚部１８は、第二旋回ベース３０を有する。第二旋回ベース３０は、第一旋回ベース２８に接続される。この実施態様では、幼児スイング１０が異なる使用要件に従って折畳み状態又は図１に示されるような展開（非折畳み）状態にあり得るよう、第二脚部１８を第一脚部１４に対して回転可能とするために、第二旋回ベース３０は、旋回シャフト３１を介して第一旋回ベース２８に旋回的に接続される。更に、駆動装置２０にキャリア１２を揺動するのに必要な電源を供給するために、電源装置２２は、駆動装置２０に電気的に接続される。
【００１０】
電源装置２２の構造及び装置設計を以下に詳細に例証する。図２に示されるように、構造の観点において、収容空間３２が旋回位置決め機構２４と反対側の第一旋回ベース２８の側部に形成され、電源装置２２は、好ましくは、収容空間３２内に部分的に収容される。装置設計の観点において、電源装置２２は、電池３４と、カバー３６と、コンセント（プラグ）３８とを含む。電池３４は、収容空間３２内に配置され、好ましくは、再充填可能な電池である。カバー３６は、電池３４を覆うために第一旋回ベース２８上に配置される。コンセント３８は、電池３４を再充填するために、或いは、電池の代わりに壁コンセントを介して駆動装置２０に直接的に電力を送るために、電池３４に電気的に接続される。
【００１１】
加えて、コンセント３８は、第一旋回ベース２８に配置され、特定の角度だけ水平方向に対して下向きに傾斜され、特定の角度は、実質的に４５度に等しい。そのようにして、コンセント３８が第一旋回ベース２８の位置からあまり分からない位置に配置されるという設計によって、幼児スイング１０の外観をコンパクトに維持し得る。
【００１２】
旋回位置決め機構２４の構造及び機械的設計に関して、図１、図２、及び、図３を参照すると、図３は、図２中の第一脚部１４及び第二脚部１８の部分的な拡大図である。旋回位置決め機構２４は、第一脚部１４が第二脚部１８に旋回的に接続される位置に配置され、ストッパ４０と、摺動ブロック４２と、係合部４４と、作動部４６と、弾性部４８とを含む。ストッパ４０は、第一旋回ベース２８上に形成され、２つの制限ブロック５０，５２を含む。摺動ブロック４２は、第二旋回ベース３０上に形成され、第二旋回ベース３０のハウジングから突出する。従って、第一脚部１４に対する第二脚部１８の回転範囲を制限し得るよう、摺動ブロック４２は、第二旋回ベース３０の回転を用いて、制限ブロック５０及び５２の間を摺動し得る。換言すれば、幼児スイングを展開状態又は折畳み状態にあるようにするために、第二旋回ベース３０が第一旋回ベース２８に対して回転するとき、第二脚部１８が第一脚部１４に対して回転するのを停止するために、摺動ブロック４２は、制限ブロック５０又は制限ブロック５２に当接する。よって、使用者は、間違った操作又は過剰な手動の力によって引き起こされる幼児スイング１０の損傷を防止するために限定的な範囲内で回転するよう、第二脚部１８を引っ張ることができるだけである。
【００１３】
前述の係合部４４は、第一旋回ベース２８と第二旋回ベース３０との間に移動可能に配置される。係合部４４は、第二旋回ベース３０に対する第一旋回ベース２８の位置を固定するよう、第一旋回ベース２８及び第二旋回ベース３０と係合するために使用される。第一旋回ベース及び第二旋回ベース３０との係合部４４の係合のより詳細な記載は以下の通りである。図２及び図３に示されるように、係合部４４は、少なくとも１つの歯５４（図２には２つ示されている）を有する。少なくとも１つの第一位置決め溝５６（図３には２つ示されている）が第一旋回ベース２８上に対応して形成され、複数の第二位置決め溝５８ａ，５８ｂが第二旋回ベース３０上に対応して形成される。この実施態様では、４つの第二位置決め溝が図３に示されており、旋回シャフト３１の両側にそれぞれ配置される各２つの第二位置決め溝は、１つの組と考えられる。換言すれば、２組の第二位置決め溝５８ａ及び５８ｂは、第二脚部１８の展開位置及び折畳み位置にそれぞれ対応する。係合部４４は、第一旋回ベース２８と第二旋回ベース３０との間で軸方向に移動可能である。要約すれば、歯５４が第一位置決め溝５６及び第二位置決め溝５８ａ又は５８ｂと同時に係合するとき、第一脚部１４に対する第二脚部１８の位置を固定し得る。他方、歯５４が第一位置決め溝５６及び第二位置決め溝５８ａ又は５８ｂから分離するとき、第二脚部１８は第一脚部１４に対して回転し得る。
【００１４】
係合部４４が第二位置決め溝５８ａ又は５８ｂから分離される位置に係合部４４を移動させるために、前述の作動部４６は、第二旋回ベース３０上で軸方向に移動可能である。この実施態様において、係合部４４は、好ましくは、係合部４４を第二旋回ベース３０から分離させるよう、使用者が押圧動作を便利に行うためのボタンである。更に、この実施態様において、前述の弾性部４８は、係合部４４に弾性力をもたらすために係合部４４と第一旋回ベース２８との間に配置されるバネである。よって、係合部４４が第一位置決め溝５６及び第二位置決め溝５８ａ又は５８ｂと係合する位置に係合部４４を自動的に戻らせ得る。
【００１５】
幼児スイング１０のより詳細な記載は以下の通りである。図４、図５、及び、図６を参照すると、図４は、幼児スイング１０が展開状態にあるときの図１中の旋回位置決め機構２４の斜視図である。図５は、係合部４４が係止位置に配置されるときの図１中の旋回位置決め機構２４の内部図である。図６は、係合部４４が解放位置に配置されるときの図１中の旋回位置決め機構２４の内部図である。幼児スイング１０が展開状態にあるとき、第一脚部１４に対する第二脚部１８の位置は、図４に示されるようである。このときに、摺動ブロック４２は、（図４に示されるように）制限ブロック５０に当接し、係合部４４の歯５４は、（図５に示されるように）第一旋回ベース２８の第一位置決め溝５６及び第二旋回ベース３０の第二位置決め溝５８ａと同時に係合する。そのようにして、使用者が以下の操作を行うことを可能にするために、幼児スイング１０が図１に示されるような展開状態において安定的であり得るよう、歯５４は第一位置決め溝５６及び第二位置決め溝５８ａと係合するので、第二脚部１８は第一脚部１４に対して回転し得ない。更に、たとえ係合部４４が解放位置に配置されるとしても、制限ブロック５０に当接する摺動ブロック４２は、第二脚部１８が第一脚部１４に対して回転し過ぎるのを防止し得るのみならず、前記係合機構がその効能を失うときに脚部が崩壊するのも防止し得る。
【００１６】
もし使用者が幼児スイング１０を折り畳むことを望むならば、歯５４が第二位置決め溝５８ａから完全に分離するまで係合部４４を図５に示される係止位置から図６に示される解放位置に移動させる（このときに弾性部４８は圧縮される）ために、使用者は作動部４６を押圧する必要があるだけである。このときに、第二位置決め溝５８ａは歯５４ともはや係合しないので、使用者は、制限ブロック５２が摺動ブロック４２に再び当接するまで第一脚部１４に対して時計回りに回転するよう、図４において第二脚部１８を押し得る。このプロセス中、第二脚部１８は、図４に示されるような位置から幼児スイング１０が折畳み状態にあるときの図１中の旋回位置決め機構２４の斜視図である図７に示されるような位置に回転し得る。引き続き、圧縮される弾性部４８によってもたらされる弾性力が、係合部４４を図６に示されるような解放位置から図５に示されるような係止位置に戻らせ得るよう、使用者は作動部４６を押すのを停止し得る。同時に、係合部４４の運動を用いて、歯５４は、歯５４が第一位置決め溝５６とだけ係合する位置から、図３中の歯５４が第一位置決め溝５６及び第二位置決め溝５８ｂと同時に係合する位置に移動する。そのようにして、歯５４は第一位置決め溝５６と係合するので、第二脚部１８は、幼児スイング１０が折畳み状態において安定的であるあり得るよう、第一脚部１４に対して回転し得ない。同様に、たとえ係合部４４が解放位置に配置されるとしても、制限ブロック５２に当接する摺動ブロック４２は、第二脚部１８が第一脚部に対して回転し過ぎるのも防止し得る。
【００１７】
他方、もし使用者が幼児スイング１０を広げることを望むならば、使用者は、係合部４４を第二位置決め溝５８ｂが歯５４と係合しない位置に移動させる（このときに弾性部４８は圧縮される）ために、作動部４６を押し付ける必要があるだけである。引き続き、限定ブロック５０が摺動ブロック４２に当接するまで図４に示されるような位置に反時計回りに回転するよう、使用者は図７において第二脚部１８を引っ張り得る。最後に、使用者は作動部４６を押すのを停止し得る。結果的に、歯５４を第一位置決め溝５６及び第二位置決め溝５８ｂと同時に係合させるために、図６に示されるような解放位置から図５に示されるような係止位置に回復して戻るよう、圧縮される弾性部４８によってもたらされる弾性力は、係合部４４を駆動し得る。従って、幼児を保持するために、幼児スイング１０が図１に示されるような展開状態において安定的であり得るよう、第二脚部１８は第一脚部１４に対して回転し得ない。
【００１８】
加えて、第一脚部１４に対して第二脚部１８の位置を固定するための設計は、係合部の歯が位置決め溝と係合するために利用される上述の実施態様に限定されない。例えば、係合部４４は、代わりに、ピン又はプラスチックギアであってもよい。もし係合部４４がピンであるならば、展開状態又は折畳み状態にある幼児スイング１０は、第二旋回ベース３０に対する第一旋回ベース２８の位置を固定するために、第一旋回ベース２８及び第二旋回ベース３０に挿入するようピンを利用し得る。更に、前述の第二位置決め溝５８ａ，５８ｂの数は、上述の実施態様の数に限定されない。換言すれば、幼児スイング１０の動作的な柔軟性を強化するために幼児スイング１０が複数レベルの位置決め機能を有し得るよう、第二位置決め溝の数を増大し得る。
【００１９】
電源装置が駆動ハブ内に或いは脚部上に配置される従来技術と比べて、本発明は、代わりに、脚部の旋回ベース上に電源装置を配置する。そのようにして、本発明は、幼児スイングの外観をよりコンパクトにすることができる。更に、電源装置は脚部の旋回ベース上に直接的に配置されるので、幼児スイングの動作的な利便性を強化するために、本発明は幼児スイングの折畳みプロセス中に電源装置が他の構成部品と干渉するのも防止することができる。
【００２０】
当業者は、本発明の教示を保持しながら、装置及び方法の数多くの修正及び変更を行い得ることを直ちに観察するであろう。
【符号の説明】
【００２１】
１０    幼児スイング
１２    キャリア
１４    第一脚部
１６    アーム
１８    第二脚部
２０    駆動装置
２２    電源装置
２４    旋回位置決め機構
２６    支持表面
２８    第一旋回ベース
３０    第二旋回ベース
３１    旋回シャフト
３２    収容空間
３４    電池
３６    カバー
３８    コンセント
４０    ストッパ
４２    摺動ブロック
４４    係合部
４６    作動部
４８    弾性部
５０    制限ブロック
５２    制限ブロック
５４    歯
５６    第一位置決め溝
５８ａ  第二位置決め溝
５８ｂ  第二位置決め溝
【図１】
0005337139.tif 000002
【図２】
0005337139.tif 000003
【図３】
0005337139.tif 000004
【図４】
0005337139.tif 000005
【図５】
0005337139.tif 000006
【図６】
0005337139.tif 000007
【図７】
0005337139.tif 000008